(57)【要約】【課題】  電気機器のキャビネットに取付けられる操作ボタンであって、ネジを用いることなく取付け出来、しかもガタ付くことなく安定した取付が出来、しかも基板のビビリ現象を防止出来る操作ボタンの提供。【解決手段】  基部２７から起立する支持部２８ａ，２８ｂ・・の上端には押しボタン２４ａ，２４ｂ・・を正面側に突出して設けると共に基部２７との境界には肉厚を薄くしたヒンジ部２９ａ，２９ｂ・・を形成している。そして基部２７の少なくとも両側には先端に係合フック３２，３２・・を形成したアーム３１，３１・・を後方へ延ばし、又、基部には別の支持部を起立すると共に、該支持部から後方へガイドリブ３３，３３・・と先端に基板押えフック３６，３６・・を形成したアーム３５，３５・・を延ばしている。一方、支持部上端には後方へ延びるスイッチ押圧用アーム３０ａ，３０ｂ・・を設けている。【選択図】    図２
2005216576.tif 000002
【特許請求の範囲】
【請求項１】
電気機器のキャビネットに取付けられる操作ボタンにおいて、基部から起立する支持部の上端には押しボタンを正面側に突出して設けると共に基部との境界には肉厚を薄くしたヒンジ部を形成し、該支持部の上端にはスイッチ押圧用アームを後方へ延ばし、そして基部の少なくとも両側には先端に係合フックを形成したアームを後方へ延ばし、押しボタンを設けた支持部の間には別の支持部を基部から起立すると共に該支持部の後方へはガイドリブを延ばし、ガイドリブの上側には僅かな隙間を残して先端に基板押えフックを形成したアームを延ばし、さらに基部又は支持部の正面にはキャビネットフロント面と互いに嵌合する嵌合手段を設けたことを特徴とする操作ボタン。
【請求項２】
上記ガイドリブの上側には受け板を形成し、該受け板との間に僅かな隙間を残して基板押えフックを先端に形成したアームを設けた請求項１記載の操作ボタン。
【請求項３】
上記基部正面にはフロント内側の嵌合凹部に嵌まる嵌合突起を設け、支持部にはフロント面から突出する嵌合凸部が嵌まる貫通穴を形成した請求項１、又は請求項２記載の操作ボタン。
【請求項４】
キャビネットに操作ボタンを取付けた電気機器において、操作ボタンは、基部から起立する支持部の上端には押しボタンを正面側に突出して設けると共に基部との境界には肉厚を薄くしたヒンジ部を形成し、該支持部の上端にはスイッチ押圧用アームを後方へ延ばし、そして基部の少なくとも両側には先端に係合フックを形成したアームを後方へ延ばし、押しボタンを設けた支持部の間には別の支持部を基部から起立すると共に該支持部の後方へはガイドリブを延ばし、ガイドリブの上側には先端に基板押えフックを形成したアームを延ばし、さらに基部又は支持部の正面にはキャビネットフロントと互いに嵌合する嵌合手段を設けたもので、一方のキャビネットのフロント面にはボタン穴を貫通して設け、又キャビネット底面には係合穴とガイド溝を形成し、上記操作ボタンのアーム先端に形成した係合フックを係合穴に係合すると共にガイドリブをガイド溝に嵌め、そしてフロントと嵌合手段を介して互いに嵌合し、フロント面のボタン穴には押しボタンが嵌って突出し、さらにキャビネット底面に設けたガイドレールに取付けられた基板の先端部をガイドリブ上側に設けた受け板と基板押えフックにて挟持したことを特徴とする電気機器。
【請求項５】
キャビネットフロントの一方側に操作ボタンを取付け、他方側に基板支持部品を取付けた電気機器において、操作ボタンは、基部から起立する支持部の上端には押しボタンを正面側に突出して設けると共に基部との境界には肉厚を薄くしたヒンジ部を形成し、該支持部の上端にはスイッチ押圧用アームを後方へ延ばし、そして基部の少なくとも両側には先端に係合フックを形成したアームを後方へ延ばし、押しボタンを設けた支持部の間には別の支持部を基部から起立すると共に該支持部の後方へはガイドリブを延ばし、ガイドリブの上側には先端に基板押えフックを形成したアームを延ばし、さらに基部又は支持部の正面にはキャビネットフロントと互いに嵌合する嵌合手段を設けたもので、又、基板支持部品は、基部の少なくとも両側には先端に係合フックを形成したアームを後方へ延ばし、支持部を基部から起立すると共に該支持部の後方へはガイドリブを延ばし、ガイドリブの上側には先端に基板押えフックを形成したアームを延ばし、さらに基部又は支持部の正面にはキャビネットフロントと互いに嵌合する嵌合手段を設け、一方のキャビネットのフロント面にはボタン穴を貫通して設け、又キャビネット底面には係合穴とガイド溝を形成し、上記操作ボタン及び基板支持部品のアーム先端に形成した係合フックを係合穴に係合すると共にガイドリブをガイド溝に嵌め、そしてフロントと嵌合手段を介して互いに嵌合し、フロント面のボタン穴には操作ボタンに設けた押しボタンが嵌って突出し、さらにキャビネット底面に設けたガイドレールに取付けられた基板の先端部を操作ボタンと基板支持部品のガイドリブ上側に設けた受け板と基板押えフックにて挟持したことを特徴とする電気機器。
【請求項６】
基板には穴を形成し、基板押えフックを該穴に係合した請求項４、又は請求項５記載の電気機器。
【発明の詳細な説明】
【技術分野】
【０００１】
本発明は止めネジを用いることなく簡単に取付け出来、更に隣接するボタンの連動を防止することが出来ると共に、スピーカーによる基板のビビリ現象の発生を防止することが出来る操作ボタン、及び該操作ボタンを備えた電気機器に関するものである。
【背景技術】
【０００２】
電気機器のフロントには操作に必要なボタンが備わっていて、該ボタンを押すことで回路基板に設けているスイッチのＯＮ／ＯＦＦが行われる構造となっている場合が多い。そして、回路基板はシャーシに取着され、該回路基板上に設けているスイッチに位置合わせされて操作ボタンが取付けられるが、取付け構造の簡略化が求められる。
【０００３】
図１１は最も一般的な従来の操作ボタンの取付け構造を示している。該操作ボタン１はキャビネットのフロントパネル２の裏側に取付けられているが、上記操作ボタン１はその枠体３の四隅がネジ止めされている。フロントパネル２の裏側に突出しているボス４，４…に枠体３が支持された状態でネジ止めが成されている。従って、フロントパネル２との間にはボス４の長さに相当する隙間が形成されることになる。
【０００４】
ところで、操作ボタン１は四角形の上記枠体３の中に２個のボタン部５，５を有し、該ボタン部５，５は枠体３とヒンジ部６，６を介して繋がっている。そして、ボタン部５，５の基板７，７からアーム８，８を後方へ延ばし、アーム先端は回路基板９に設けているスイッチ１０，１０と接触することが出来る。すなわち、ボタン部５，５が正面から押圧されるならば、アーム８，８は下方へ撓み、先端が上記スイッチ１０，１０を押圧する。
【０００５】
図１２(ａ)は操作ボタン１がフロントパネル２に取付けられている背面図であり、(ｂ)は(ａ)のＡ−Ａ断面図、(ｃ)は(ａ)のＢ−Ｂ断面図をそれぞれ示している。各断面図から明らかなように、フロントパネル２から背後へ延びたボス４，４…に枠体３がネジ止めされ、ボタン部５の基板７から正面側に突出して形成されているボタン１１はフロントパネル２に形成された穴１２に嵌っている。従って、ボタン１１を正面から押圧すれば、枠体３に繋がっているヒンジ部６が曲げ変形してアーム先端がスイッチ１０に接触する。
【０００６】
ところで、操作ボタン１はフロントパネル２の裏側にネジ止めされて外れることはないが、該ネジ止め作業が面倒である。図１３は操作ボタン１と回路基板９を取付ける場合を示しているが、フロントパネル２に操作ボタン１をネジ止めし、その後、回路基板９が取付けられる。同図に示している操作ボタン１をネジ止めするには４本のネジが使用され、さらに多くのボタン１１，１１…を備えている操作ボタン１であるならば、より多くのネジが必要となる。
【０００７】
そして、テレビジョン受像機等の電気機器では、操作ボタンはフロントの比較的下側であって、底板との間の空間が少なくてフロントパネルの背後に設けたボス４，４…のネジ穴にネジを螺合する作業は容易でなく、作業工数は必然的に高くなる。
【０００８】
特開２０００−２９９５６７号に係る「押しボタン連の取付構造」は、テレビジョン受像機等の電気機器に使用される押しボタン装置をビスを使用せずに筐体に固定した取付構造と成っている。すなわち、筐体の内面側に突設した位置決めピンとガイドリブに、複数の押しボタンを連結してなる押しボタン連の連結部に設けた貫通孔と第１のリブの端部とを夫々挿嵌し、さらにボタン連の連結部に設けた第１と第２のリブのスリットにプリント板の端部を挿嵌することにより、ボタン連に設けたスイッチ押圧部とプリント板上に配置した複数のスイッチとを夫々対応させて固定している。
【０００９】
このように、ネジを用いることなく押しボタン連を筐体に固定できる為に、部品点数の削減に伴うコストダウン、ネジ止めや融着工程の削減に伴う作業時間の短縮が可能と成る。又押しボタン連のスイッチ押圧部と、基板上に取付けたスイッチとの位置ズレを無くし、スイッチ押圧部とスイッチとのクリアランスが一定に保持できる。
【００１０】
しかし、筐体及び基板にてボタンを挟み込む構造と成っている為に、筐体とボタン、或いはボタンと基板との間で隙間が生じた際にボタンのガタ付きが発生する。又筐体及び基板にてボタンを挟み込む構造と成っている為に、基板を取付けるまではボタンが不安定な状態であり、組立て作業工程中にボタンが外れる虞があり作業性が低下する。
【００１１】
一方、テレビジョン受像機等の場合、筐体にスピーカーを取付けることになるが、該スピーカーから出る音が基板を振動させて、ビビリ現象が発生する。勿論、基板をシャーシにネジ止めする取着構造であれば、該基板がビビリ現象を起こすことはないが、ボタン連の連結部に設けた第１と第２のリブのスリットにプリント板の端部を挿嵌する構造と成っている為に、該スリットとの間に生じる僅かな隙間が振動の影響を受けてビビリ現象と成って現れる。そこで、従来では基板上にフェルトシート等を貼着してビビリ現象が起きないように対応しているが、コスト的に高くなり、作業工数も増加してしまう。
【００１２】
又、スピーカーによるビビリ現象を防止する為の従来技術としては、実開平７−１６４９１号に係る「スピーカーボックス」、実用新案登録第３０７４５０８号に係る「音響機器類のキャビネット」、実用新案登録第３０７６３３０号に係る「キャビネット」、特開２００２−２９０８７５号に係る「電子機器」などが知られているが、その構造は簡単でなく、コスト高を招く。
【特許文献１】特開２０００−２９９５６７号に係る「押しボタン連の取付構造」
【特許文献２】実開平７−１６４９１号に係る「スピーカーボックス」
【特許文献３】実用新案登録第３０７４５０８号に係る「音響機器類のキャビネット」
【特許文献４】実用新案登録第３０７６３３０号に係る「キャビネット」
【特許文献５】特開２００２−２９０８７５号に係る「電子機器」
【発明の開示】
【発明が解決しようとする課題】
【００１３】
このように従来の操作ボタン取付け構造には上記のごとき問題がある。本発明が解決しようとする課題はこれら問題点であり、止めネジを用いなくてもガタ付くことなく安定して取付けられ、隣接する操作ボタンとの連動を防止することが出来るようにし、更には操作ボタンを利用してキャビネットに取付けた基板がスピーカーの音でビビリ現象を発生しないようにした電気機器を提供する。
【課題を解決するための手段】
【００１４】
本発明は、キャビネットのフロント部に設けられる操作ボタンが簡単に取付けられると共にガタ付くことなく安定し、そしてスピーカーの音でビビリ現象を起こさないように基板の一方側を支えることが出来る構造としている。すなわち、基板のビビリ現象防止の為に特別な手段を備えることなく、操作ボタンの一部を利用した構造としている。そこで、操作ボタンは操作をする押しボタンと押しボタンから下方へ延びる支持部、更に押しボタンの後方に延びて基板に取付けたスイッチを押す為のスイッチ押圧用アームが形成されている。そして押しボタンの下側には基部が設けられ、この基部と押しボタンの支持部とはヒンジ部によって連結されている。
【００１５】
操作ボタンの前方にはキャビネットのフロント部と嵌合する嵌合突起及び貫通穴を設け、フロント部には嵌合凸部及び嵌合凹部を形成している。そして操作ボタンの後方には基板を受けるリブ及び該基板を押えるフックを複数箇所に形成している。すなわち、基板の前方側は受けリブと押えフックとで挟持される。又、操作ボタンの下方にはキャビネットの底面と係合する係合フック及び位置規制ガイドリブを有し、キャビネット底面には係合穴及びガイド溝を設けている。
【００１６】
そこで、操作ボタンのガイドリブはキャビネット底面のガイド溝に沿ってスライドし、所定の位置に嵌合して取付けられる。すなわち、操作ボタンの係合フックはキャビネット底面の係合穴に係合し、操作ボタンの嵌合突起はフロント部の嵌合凹部に嵌合すると共に、フロント部の嵌合凸部は操作ボタンの貫通穴に嵌って位置決めして取付られる。そして、キャビネット底面に設けたガイドレールのガイド溝に嵌まって基板が取付けられ、上記操作ボタンの受けリブと押えフックに嵌って挟持される。
【発明の効果】
【００１７】
本発明に係る電気機器では操作ボタンを取付けるに際してネジを用いることなく、ワンタッチで取付けることが出来、作業性は向上し、しかも取付けられた操作ボタンはガタ付くことなく安定する。すなわち、操作ボタンの位置規制ガイドリブはキャビネット底面のガイド溝に沿ってスライドし、所定の位置に嵌合して取付けられるが、操作ボタンの係合フックはキャビネット底面の係合穴に係合し、操作ボタンの嵌合突起はフロント部の嵌合凹部に嵌合すると共に、フロント部の嵌合凸部は操作ボタンの貫通穴に嵌って位置決めして取付けられる。
【００１８】
このように、操作ボタンの基部はキャビネットにガタ付くことなく安定して固定される為に、ボタンを押圧する際に隣接するボタンの連動を防止し、誤動作をなくして安定した操作が保証される。又、操作ボタンの後方には基板を受けるリブ及び該基板を押えるフックを複数箇所に形成し、基板の前方側は受けリブと押えフックとで挟持される為に、基板はスピーカーの音で振動してビビリ現象を起こすことはない。本発明は、操作ボタンを簡単にしかも安定して取付け出来ると共に、一方では操作ボタンを利用して基板のビビリ現象を防止出来る。
【実施例】
【００１９】
図１はテレビジョン受信機の外観を示している具体例である。テレビジョン受信機は、正面に表示部２１が、表示部２１の両下側にはスピーカー２２，２２が、表示部下側のフロント面２３には５個の押しボタン２４ａ，２４ｂ・・が設けられている。そして、筐体と成るキャビネットはフロントキャビネット２５とバックキャビネット２６との組合せで構成されている。
【００２０】
図２は操作ボタンの斜視図を示し、(ａ)は正面側、(ｂ)は背面側を各々表している。同図に示すように、操作ボタンは５個の押しボタン２４ａ，２４ｂ・・が等間隔で設けられ、これら押しボタン２４ａ，２４ｂ・・は基部２７から起立する支持部２８ａ，２８ｂ・・の正面側へ突出して形成されている。そして、支持部２８ａ，２８ｂ・・の下端であって基部２７との境界には肉厚を薄くしたヒンジ部２９ａ，２９ｂ・・が形成されている。
【００２１】
従って、押しボタン２４ａ，２４ｂ・・を正面側から押圧するならば、ヒンジ部２９ａ，２９ｂ・・を介して支持部２８ａ，２８ｂ・・は撓み変形することが出来る。そして、支持部２８ａ，２８ｂ・・の後方にはスイッチ押圧用アーム３０ａ，３０ｂ・・が延びていて、支持部２８ａ，２８ｂ・・が撓み変形するならば、上記スイッチ押圧用アーム３０ａ，３０ｂ・・の先端は降下して基板に取付けられているスイッチを押圧する。
【００２２】
上記基部２７の両側及び中央にはアーム３１，３１・・を後方へ延ばし、アーム先端には下方へ突出した係合フック３２，３２・・を形成し、又基部２７には別の支持部３４，３４・・を起立し、これら支持部３４，３４・・からはガイドリブ３３，３３・・を同じく後方へ延ばしている。支持部３４，３４・・から延びるガイドリブ３３，３３の上側に形成した受け板４６，４６・・と所定の隙間を残してアーム３５，３５・・を後方へ延ばし、該アーム先端には基板押えフック３６，３６・・を下方へ突出して形成している。
【００２３】
又、上記基部２７の正面に嵌合突起３７，３７・・が突出し、支持部３４，３４・・には貫通穴３８，３８・・を設けている。そして、このように構成される操作ボタンは樹脂を材質として成形され、フロントキャビネット２５の底面に取付けられる。
【００２４】
図３は操作ボタンの(ａ)は平面図、(ｂ)は正面図、(ｃ)は背面図、(ｄ)は側面図、及び(ｅ)はＡ−Ａ断面図を各々示している。平面図及び側面図から明らかなように、押しボタン２４ａ，２４ｂ・・、嵌合突起３７，３７・・は支持部２８ａ，２８ｂ・・から正面側へ突出し、又正面図及び背面図から明らかなように、基部２７の底からガイドリブ３３，３３・・が下方へ突出し、係合フック３２，３２・・も下方へ突出している。
【００２５】
図４はこの操作ボタンを取付けるフロントキャビネット２５の背面側斜視図を示しているが、フロント面２３には押しボタン２４ａ，２４ｂ・・が嵌るボタン穴３９ａ，３９ｂ・・が貫通して設けられている。又、フロント面２３の内面には操作ボタンの貫通穴３８，３８・・に嵌る嵌合凸部４０，４０・・が突出し、そして嵌合凹部４１，４１・・を有している。一方、フロントキャビネット２５の底面４２には操作ボタンの係合フック３２，３２・・が係合する係合穴４３，４３・・が設けられ、ガイドリブ３３，３３・・がガイドされるガイド溝４４，４４・・を有している。
【００２６】
又底面４２の両側には内側にガイド溝を設けているガイドレール４５，４５を沿設している。図５はフロントキャビネット２５の底部を表しており、背面から見て左側には本発明の操作ボタンが取付けられ、右側には後述する基板支持部品が取付けられる。操作ボタン及び基板支持部品の取り付け構造は同じであるが、基板支持部品の場合には押しボタンがない為に、フロント面にはボタン穴３９ａ，３９ｂ・・を設けていない。従って、基板は両ガイドレール４５，４５の溝に嵌り、その先端側は操作ボタンと基板支持部品によって支持される。
【００２７】
図６は基板支持部品の斜視図を示し、(ａ)は正面側、(ｂ)は背面側を各々表している。同図に示すように、この基板支持部品は前記図２にて説明した操作ボタンとその基本形態は共通しているが、押しボタン２４ａ，２４ｂ・・は存在せず、その為に該押しボタン２４ａ，２４ｂ・・を形成する支持部２８ａ，２８ｂ・・も備えていない。
【００２８】
そして、上記基部２７の両側及び中央にはアーム３１，３１・・を後方へ延ばし、アーム先端には下方へ突出した係合フック３２，３２・・を形成し、又基部２７には別の支持部３４，３４・・を起立し、これら支持部３４，３４・・からはガイドリブ３３，３３・・を同じく後方へ延ばしている。更に、支持部３４，３４・・からガイドリブ３３，３３の上側に形成した受け板４６の上面と所定の隙間を残してアーム３５，３５・・を後方へ延ばし、該アーム先端には基板押えフック３６，３６・・を下方へ突出して形成している。
【００２９】
又、上記基部２７の正面に嵌合突起３７，３７・・が突出し、支持部３４，３４・・には貫通穴３８，３８・・を設けている。そして、このように構成される基板支持部品は操作ボタンと同じく樹脂を材質として成形され、フロントキャビネット２５の底面に取付けられる。
【００３０】
図７はフロントキャビネット２５の底面に操作ボタンＡ、基板支持部品Ｂ、及び基板Ｃを取付ける場合を示している。操作ボタンＡと基板支持部品Ｂがフロントキャビネット２５に取付けた状態で、両ガイドレール４５，４５のガイド溝に基板Ｃが挿入される。
【００３１】
図８は操作ボタンの取付け工程を示しているが、係合フック３２を先端に形成しているアーム３１と、ガイドリブ３３の２箇所の取付形態を夫々示している。
(ａ)は操作ボタンＡをフロントキャビネット２５に取付ける前の状態を示している。この際、ガイドリブ３３はガイド溝４４に嵌るように配置される。
(ｂ)は操作ボタンＡを底面４２に当接した状態を示しており、アーム３１は同図のように湾曲し、ガイドリブ３３はガイド溝４４に嵌入することが出来る。
(ｃ)は操作ボタンＡを底面４２に接した状態で前方(矢印方向)へ移動させた状態を示しており、アーム先端の係合フック３２は係合穴４３に嵌って係合し、嵌合突起３７は嵌合凹部４１に嵌合する。そして、嵌合凸部４０は貫通穴３８に嵌ることが出来、操作ボタンＡは所定の位置に位置決めされ、しかも係合フック３２が係合穴４３に係合することで後退することは出来ない為に、外れないように固定される。
【００３２】
基板支持部品Ｂの取付け工程の場合も同じように行われる。そして、フロントキャビネット２５に操作ボタンＡ及び基板支持部品Ｂが取付けられ、フロントキャビネット２５の底面４２に設けたガイドレール４５，４５に基板Ｃを取付け、該基板先端は上記操作ボタンＡ及び基板支持部品Ｂによって支持される。図９(ａ)は基板Ｃを取付ける前であり、該基板Ｃはガイドレール４５，４５のガイド溝に挿入される。
【００３３】
図９(ｂ)は基板Ｃが操作ボタンＡによって支持された場合であり、ガイドリブ３３の上側に形成した受け板４６に該基板Ｃの先端部が載り、上からは基板押えフック３６にて押圧される。ガイドレール４５，４５に沿って挿入された基板Ｃは受け板４６と基板押えフック３６とで挟持され、アーム３５は撓み変形する為に、基板押えフック３６は基板Ｃに押圧力を付勢することになり、スピーカーの音に共振してビビリ現象を起こさない。
【００３４】
図１０は基板支持構造を示す別形態である。該実施例では、基板Ｃに穴４７を貫通しており、基板押えフック３６は該穴４７に嵌っている。従って、基板Ｃは基板押えフック３６が穴４７に嵌ることで、ガイドレール４５，４５から外れることはなく、勿論アーム３５の弾性力が基板押えフック３６を介して基板Ｃに付勢される為に、ビビリ現象が阻止される。
【００３５】
このように、基板Ｃはガイドレール４５，４５に取付けられ、しかも基板押えフック３６，３６・・に押圧される。そして、基板Ｃにはスイッチ４８が設けられ、基板Ｃが所定の位置に取付けられた場合には、該スイッチ４８はスイッチ押圧用アーム３０の先端部下側に位置し、押しボタン２４を押すことでスイッチ押圧用アーム３０はスイッチ４８を押圧することが出来る。
【００３６】
実施例のテレビ受信機では、正面から見て右側に操作ボタンＡを、左側に基板支持部品Ｂを取付けた構造としているが、両側に操作ボタンを取付けて両操作ボタンにて基板を挟持することも可能である。又、操作ボタンを正面中央にのみ取付けて基板を挟持することも出来る。
【図面の簡単な説明】
【００３７】
【図１】テレビジョン受信機の斜視図。
【図２】操作ボタンを示す具体例で、(ａ)は正面側斜視図、(ｂ)は背面側斜視図。
【図３】操作ボタンの平面図、正面図、背面図、側面図、Ａ−Ａ断面図。
【図４】フロントキャビネットの背面側斜視図。
【図５】フロントキャビネット底部の背面側斜視図。
【図６】基板支持部品を示す具体例で、(ａ)は正面側斜視図、(ｂ)は背面側斜視図。
【図７】フロントキャビネットの底に操作ボタン、基板支持部品、及び基板を取付ける場合。
【図８】操作ボタンの取付け工程。
【図９】基板の取付け工程。
【図１０】基板の取付け工程。
【図１１】従来の操作ボタン取付け構造を示す斜視図。
【図１２】従来の操作ボタン取付け構造の背面図、及び断面図。
【図１３】従来の操作ボタンの取付け方法。
【符号の説明】
【００３８】
21  表示部
22  スピーカー
23  フロント面
24  押しボタン
25  フロントキャビネット
26  バックキャビネット
27  基部
28  支持部
29  ヒンジ部
30  スイッチ押圧用アーム
31  アーム
32  係合フック
33  ガイドリブ
34  支持部
35  アーム
36  基板押えフック
37  嵌合突起
38  貫通穴
39  ボタン穴
40  嵌合凸部
41  嵌合凹部
42  底面
43  係合穴
44  ガイド溝
45  ガイドレール
46  受け板
47  穴
48  スイッチ
【図１】
2005216576.tif 000003
【図２】
2005216576.tif 000004
【図３】
2005216576.tif 000005
【図４】
2005216576.tif 000006
【図５】
2005216576.tif 000007
【図６】
2005216576.tif 000008
【図７】
2005216576.tif 000009
【図８】
2005216576.tif 000010
【図９】
2005216576.tif 000011
【図１０】
2005216576.tif 000012
【図１１】
2005216576.tif 000013
【図１２】
2005216576.tif 000014
【図１３】
2005216576.tif 000015